(57)【特許請求の範囲】
【請求項１】
記録媒体に画像を形成する形成手段と、
プレビュー画像に含まれるコンテンツの大きさが、画像を第１サイズの記録媒体に形成した場合におけるコンテンツの大きさと実質的に同じ大きさになるように生成されたプレビュー画像を表示する表示制御手段と、
前記表示制御手段により表示された前記プレビュー画像に対するユーザの操作に基づいて、前記画像の形成倍率を変更させるための第１の変更手段と、
前記第１の変更手段によって変更された形成倍率に基づいて、少なくとも２つの画像を集約して１つの記憶媒体に画像を形成するためのサイズ集約を設定する設定手段と、を有し、
前記形成手段は、前記設定手段により設定されたページ集約に基づいて、前記第１サイズの記録媒体に前記画像を形成することが可能であることを特徴とする画像形成装置。
【請求項２】
画像に対して予め定められた記録媒体のサイズである原稿サイズ、及び当該原稿サイズに対する印刷倍率と、当該印刷倍率において当該原稿サイズの記録媒体に画像を形成するのに適したページ集約と、が対応づけられた情報を記憶する記憶手段を備え、
前記設定手段は、前記記憶手段に記憶された情報に基づいて、前記第１の変更手段によって変更された形成倍率に対応するページ集約を設定することを特徴とする請求項１記載の画像形成装置。
【請求項３】
前記第１の変更手段によって変更された形成倍率に基づいて、前記画像を形成する記録媒体のサイズを、前記第１のサイズとは異なる第２サイズへと変更する第２の変更手段を有し、
前記形成手段は、前記第２の変更手段によって変更された第２のサイズの記録媒体に前記画像を形成することが可能であることを特徴とする請求項１又は２記載の画像形成装置。
【請求項４】
前記第１の変更手段によって変更された印刷倍率に基づいて、ページ集約を設定するか否かをユーザに問い合わせる問い合わせ手段を有し、
前記設定手段は、前記問い合わせ手段による問い合わせに対するユーザからの指示に従って、ページ集約の設定を行うことを特徴とする請求項１から３のいずれか１項に記載の画像形成装置。
【請求項５】
前記問い合わせ手段は、ページ集約を設定するためのボタンを表示し、
前記設定手段は、前記ボタンに対するユーザの操作に従って、ページ集約の設定を行うことを特徴とする請求項４記載の画像形成装置。
【請求項６】
前記問い合わせ手段により前記ボタンを表示する際に、ページ集約を設定することにより節約される記録媒体の数を識別可能な情報を表示することを特徴とする請求項５記載の画像形成装置。
【請求項７】
記録媒体に画像を形成する形成することが可能な画像形成装置の制御方法であって、
プレビュー画像に含まれるコンテンツの大きさが、画像を第１サイズの記録媒体に形成した場合におけるコンテンツの大きさと実質的に同じ大きさになるように生成されたプレビュー画像を表示する表示制御工程と、
前記表示制御工程において表示された前記プレビュー画像に対するユーザの操作に基づいて、前記画像の形成倍率を変更させるための第１の変更工程と、
前記第１の変更工程において変更された形成倍率に基づいて、少なくとも２つの画像を集約して１つの記憶媒体に画像を形成するためのサイズ集約を設定する設定工程と、
前記設定工程において設定されたページ集約に基づいて、前記第１サイズの記録媒体に前記画像を形成することが可能である形成工程と、
を有することを特徴とする制御方法。
【請求項８】
請求項７記載の制御方法をコンピュータに実行させるためのプログラム。
【発明の詳細な説明】
【技術分野】
【０００１】
本発明は、画像形成装置及びその制御方法、並びにプログラムに関し、特に、画像を記録媒体に形成した場合と同じ大きさで表示する実サイズプレビューを表示可能な画像形成装置及びその制御方法、並びにプログラムに関する。
【背景技術】
【０００２】
環境保護の観点より、オフィス等におけるペーパーレス化が推進されている。複合機等の画像形成装置においては、印刷ミスを低減すべくプレビュー機能が提供されている。こうしたプレビュー機能のひとつとして、印刷する画像に含まれる文字や図画を、用紙上に印刷した場合と同じ大きさで表示して確認する技術が提案されている（例えば、特許文献１参照）。以降このようなプレビュー機能を「実サイズプレビュー」という。
【０００３】
この技術によれば、印刷する前に文字や図画の大きさを確認することができるため、「意図していた文字や図画の大きさではなかった」といった理由による印刷ミスを防止することができる。
【先行技術文献】
【特許文献】
【０００４】
【特許文献１】特開２００１−１６６７６３号公報
【発明の概要】
【発明が解決しようとする課題】
【０００５】
しかしながら、実サイズプレビューで文字や図画の大きさを確認した結果、所望の大きさではなかった場合、所望の大きさにするために、ユーザは以下の操作を行う必要があり煩雑であった。まず、ユーザは、プレビューの画面を閉じる。次に印刷倍率設定の画面を開き印刷倍率を設定する。そして、再度プレビューの画面を開き、実サイズプレビューにより文字や図画の大きさを確認する、という操作である。
【０００６】
上記目的を達成するために、請求項１の画像形成装置は、記録媒体に画像を形成する形成手段と、プレビュー画像に含まれるコンテンツの大きさが、画像を第１サイズの記録媒体に形成した場合におけるコンテンツの大きさと実質的に同じ大きさになるように生成されたプレビュー画像を表示する表示制御手段と、前記表示制御手段により表示された前記プレビュー画像に対するユーザの操作に基づいて、前記画像の形成倍率を変更させるための第１の変更手段と、前記第１の変更手段によって変更された形成倍率に基づいて、少なくとも２つの画像を集約して１つの記憶媒体に画像を形成するためのサイズ集約を設定する設定手段と、を有し、前記形成手段は、前記設定手段により設定されたページ集約に基づいて、前記第１サイズの記録媒体に前記画像を形成することが可能であることを特徴とする。
【０００７】
この場合、加えて以下の操作を行う必要があり、煩雑であった。まず、ユーザは、プレビューの画面を閉じる。次に、用紙選択設定やページ集約設定の画面を開きこれらを設定する。そして、再度プレビューの画面を開き印刷内容を確認する、という操作である。
【０００８】
本発明の目的は、画像を記録媒体に形成した場合と同じ大きさで表示する実サイズプレビューを表示可能な画像形成装置において、画像を記録媒体に形成するまでに要するユーザの手間を軽減することにある。
【課題を解決するための手段】
【０００９】
上記目的を達成するために、請求項１の画像形成装置は、記録媒体に画像を形成する形成手段と、ユーザに情報を表示する表示手段とを備えた画像形成装置であって、画像を記録媒体に形成した場合と同じ大きさで前記表示手段に前記画像を表示する実サイズプレビュー手段と、前記実サイズプレビュー手段により前記表示手段に表示された前記画像の表示倍率をユーザによって変更させるための表示倍率変更手段と、前記表示倍率変更手段によりユーザによって変更された表示倍率で表示された前記画像の大きさとなるように前記画像を記録媒体に形成する際の形成倍率を変更する形成倍率変更手段とを備えたことを特徴とする。
【発明の効果】
【００１０】
本発明によれば、画像を記録媒体に形成した場合と同じ大きさで表示する実サイズプレビューを表示可能な画像形成装置において、当該画像を記録媒体に形成するまでに要するユーザの手間を軽減する。
【図面の簡単な説明】
【００１１】
【図１】本発明の実施の形態に係る画像形成装置の概略構成を示す図である。
【図２】図１における間接記憶部に記憶された判定条件テーブル２００のデータ構成を示す図である。
【図３】図１におけるユーザインターフェースでのプレビュー表示例を示す図である。
【図４】図１におけるユーザインターフェースでの実サイズプレビュー表示例を示す図である。
【図５】図１におけるＣＰＵにより実行される実サイズプレビュー表示処理の手順を示すフローチャートである。
【発明を実施するための形態】
【００１２】
以下、本発明の実施の形態について図面を参照しながら詳述する。
【００１３】
図１は、本発明の実施の形態に係る画像形成装置１の概略構成を示す図である。
【００１４】
図１において、画像形成装置１は、画像処理装置１１及び印刷装置１２で構成される。
【００１５】
画像処理装置１１は、ＣＰＵ１１１と直接記憶部１１２と、間接記憶部１１３と、ユーザインターフェース１１４と、外部インターフェース１１５とで構成される。上記直接記憶部１１２は、例えばＲＡＭであり、間接記憶部１１３は、例えばＨＤＤである。そして、直接記憶部１１２は、ＣＰＵ１１１と直接データをやり取りする記憶部であり、間接記憶部１１３は直接記憶部１１２を介してＣＰＵ１１１とデータをやり取りする記憶部である。
【００１６】
間接記憶部１１３には、画像形成装置１を制御するためのコントローラプログラムが記憶されている。また、後述する判定条件テーブルが記憶された記憶手段でもある。さらに、直接記憶部１１２には、ＣＰＵ１１１がコントローラプログラムを実行した際などに得られる情報が一時的に記憶される。
【００１７】
ユーザインターフェース１１４は、タッチパネルやキーボード、マウス、ディスプレイ等で構成され、ユーザからの指示の受付け、表示データの表示をすることが可能となっている。なお、以降の説明では、ユーザインターフェース１１４が、ディスプレイに表示データを出力することを、ユーザインターフェース１１４が「表示する」という。ユーザインターフェース１１４は、ユーザに情報を表示する表示手段に対応する。
【００１８】
外部インターフェース１１５は、外部装置からのデータの受信や外部装置へのデータの送信を行う。例えば、外部装置としては、外付けＨＤＤや外付けＵＳＢメモリ等の外付け記憶装置や、ネットワークを介して接続された別体のホストコンピュータや画像形成装置等の別体装置が含まれる。
【００１９】
印刷装置１２は、画像処理装置１１が生成した画像を用紙などの記録媒体にする。以下の説明では、画像を形成することを、「印刷する」と表現することがある。また、記録媒体を用紙と表現することがある。さらに、本実施の形態では、画像処理装置１１や印刷装置１２が実行する画像形成処理や印刷処理を「ジョブ」という。そしてジョブに関する設定を「ジョブ設定」という。
【００２０】
ＣＰＵ１１１は、間接記憶部１１３に記憶されたコントローラプログラムを直接記憶部１１２に移動する（記憶させる）ことができる。移動が完了すると、ＣＰＵ１１１がコントローラプログラムを実行することができる状態になる。
【００２１】
なお、本実施の形態では、ＣＰＵ１１１、直接記憶部１１２及び間接記憶部１１３の一部をコントローラ部１０と称している。直接記憶部１１２及び間接記憶部１１３の一部とは、直接記憶部１１２のうちのコントローラプログラムを記憶している領域、及びＣＰＵ１１１が上記コントローラプログラムを処理した際に得られる情報を記憶する領域である。
【００２２】
ユーザインターフェース１１４は、ユーザからの実サイズプレビューの表示指示を受け付ける。そしてこれをコントローラ部１０へ通知する。
【００２３】
コントローラ部１０は、この表示指示を受け付けると、画像処理装置１１が読み取った画像や外部インターフェース１１５が外部装置より受信した画像より、実サイズプレビュー画像を生成する。
【００２４】
実サイズプレビュー画像とは、印刷する画像に含まれる文字や図画を、用紙上に印刷した場合と同じ大きさとなるよう生成された画像である。
【００２５】
コントローラ部１０は、生成された実サイズプレビュー画像から表示データを生成してユーザインターフェース１１４に渡す。ユーザインターフェース１１４がこの表示データを表示することで、実サイズプレビューの表示が成される。
【００２６】
ユーザインターフェース１１４は、ユーザから、表示している実サイズプレビューに対する表示倍率を受け付ける。そしてこれをコントローラ部１０へ通知する。
【００２７】
コントローラ部１０は、当該表示倍率を受け付けると、この表示倍率に応じて実サイズプレビュー画像を生成しなおす。そして、生成しなおした実サイズプレビュー画像より表示データを生成してユーザインターフェース１１４に渡し、表示させる。
【００２８】
本実施の形態では、ユーザインターフェース１１４が受け付けることができる表示倍率は２５［％］から４００［％］の範囲内における整数値である。そして、本実施の形態によれば、この表示倍率が印刷倍率に反映される。
【００２９】
本実施の形態では、実サイズプレビューの表示に関する倍率を「表示倍率」という。そして、ジョブ設定に含まれる印刷の倍率を「印刷倍率」という。
【００３０】
図２は、図１における間接記憶部１１３に記憶された判定条件テーブル２００のデータ構成を示す図である。
【００３１】
この判定条件テーブル２００は、印刷倍率に対する最適な用紙サイズおよびページ集約を判定するための判定条件を定義するものである。
【００３２】
本実施の形態では、実サイズプレビューの表示倍率を印刷倍率に反映するが、この印刷倍率（表示倍率）における最適な用紙サイズやページ集約が判定される。判定条件テーブル２００は、この判定のための条件を定義したデータテーブルである。判定条件テーブル２００では、１つのレコード（行）が１つの条件を表す。
【００３３】
図２において、データ項目２０１は、印刷する画像のサイズである原稿サイズを表すデータ項目である。
【００３４】
データ項目２０２は、データ項目２０１の原稿サイズに対する印刷倍率であり、最適な用紙サイズやページ集約の設定が可能な印刷倍率を表すデータ項目である。
【００３５】
データ項目２０３は、データ項目２０１が示す原稿サイズとデータ項目２０２が示す印刷倍率の場合に、最適となる用紙サイズを表すデータ項目である。ブランクの場合は、最適な用紙サイズがないことを示している。
【００３６】
データ項目２０４は、データ項目２０１が示す原稿サイズとデータ項目２０２が示す印刷倍率の場合に、最適となるページ集約を表すデータ項目である。ブランクの場合は、最適なページ集約はないことを示している。
【００３７】
上記判定条件テーブル２００は、画像に対して予め定められた用紙のサイズである原稿サイズ、及び変更された表示倍率と、当該表示倍率において画像を形成可能な用紙のサイズとが対応付けられた変更可能サイズ情報に対応する。
【００３８】
また、判定条件テーブル２００は、画像が複数の場合に、画像に対して予め定められた用紙のサイズである原稿サイズ、及び変更された表示倍率と、当該表示倍率において２つ以上の画像を集約して１つの用紙に形成可能な用紙のサイズとが対応付けられている。従って、判定条件テーブル２００は、集約可能サイズ情報にも対応する。
【００３９】
図３は、図１におけるユーザインターフェース１１４でのプレビュー表示例を示す図である。
【００４０】
画面３００Ａは、プレビューを表示する画面である。このプレビューとは、実サイズプレビューではなく、ページ全体の様相を俯瞰して参照するためのプレビューである。画面３００Ａは、ユーザからの指示により、ユーザインターフェース１１４により表示される。
【００４１】
プレビュー表示領域３０１は、プレビューの画像から生成した表示データが表示される領域である。
【００４２】
実サイズボタン３０２は、実サイズプレビューの表示を指示するためのものである。ユーザが、実サイズボタン３０２を押下すると、次の図４に示される実サイズプレビューを表示する画面が表示される。
【００４３】
「閉じる」ボタン３０３を押下すると、画面３００Ａを表示する以前に表示していた画面へ遷移する。
【００４４】
図４は、図１におけるユーザインターフェース１１４での実サイズプレビュー表示例を示す図である。
【００４５】
図４において、画面３００Ｂは、実サイズプレビューを表示する画面である。
【００４６】
実サイズプレビュー表示領域３０４は、実サイズプレビューの画像から生成した表示データを表示する。
【００４７】
表示倍率スライダ３０５は、表示倍率を設定するものである。つまみ３０６をディスプレイに向かって左方向に操作すると、実サイズプレビューの表示を縮小する表示倍率を設定する。逆に、右方向に操作すると、実サイズプレビューの表示を拡大する表示倍率を設定する。表示倍率スライダ３０５への操作に応じ、実サイズプレビュー画像の生成をしなおして、実サイズプレビュー表示領域３０４の表示を更新する。この表示倍率スライダ３０５は、ユーザインターフェース１１４に表示された画像の表示倍率をユーザによって変更させるためのものである。尚、表示された画像の表示倍率をユーザによって変更させるためのものであれば、３０５に示すスライダに限らず、拡大／縮小ボタンや、ユーザが画面３０４を指でタッチして所定のジェスチャーを行う等の別の方法によって実現してもよい。
【００４８】
最適用紙サイズ設定表示領域３０７は、現在の表示倍率に対して、最適な用紙サイズがあると判定する場合に、当該用紙サイズへの設定を行うためのボタンを表示する領域である。上述した現在の表示倍率は、後に印刷倍率に反映される。
【００４９】
現在の表示倍率に対して最適な用紙サイズが無いと判定されたときは、最適用紙サイズ設定表示領域３０７には何も表示されない。最適な用紙サイズがあると判定されたときは、最適用紙サイズ設定表示領域３０７に、同図に示されるようにその用紙サイズが表示される。同図はＢ４が最適な用紙サイズと判定された場合の例を示している。用紙サイズ設定ボタン３０８をユーザが押下することにより、判定された最適な用紙サイズがジョブに対して仮設定される。
【００５０】
最適ページ集約設定表示領域３０９は、現在の表示倍率に対して、最適なページ集約があると判定されたとき、このページ集約への設定を行うためのボタンを表示する領域である。
【００５１】
現在の表示倍率に対して最適なページ集約が無いと判定されたとき、最適ページ集約設定表示領域３０９には何も表示されない。最適なページ集約があると判定されたとき、最適ページ集約設定表示領域３０９は、同図に示されるようにそのページ集約が表示される。同図は１枚の紙に２ページ分印刷する２ｉｎ１が最適なページ集約と判定された場合の例を示している。
【００５２】
ページ集約設定ボタン３１０をユーザが押下することにより、判定された最適なページ集約がジョブに対して仮設定される。なお、ページ数表示ラベル３１１は、ページ集約設定ボタン３１０でページ集約を変更する前後の出力用紙枚数を表示するものである。これにより、ユーザは、何枚の用紙が節約されるかを把握することができる。尚、最適な用紙サイズがあると判定され、且つ、最適なページ集約があると判定されたときは、最適用紙サイズ設定表示領域３０７と最適ページ集約設定表示領域３０９の両方にボタンが表示されることになる。例えば、図２の例で、原稿サイズがＡ３で、倍率が７０パーセントに指定された場合、最適用紙サイズ設定表示領域３０７には「Ａ４」が表示され、且つ、最適ページ集約設定表示領域３０９には「２in１」が表示される。その場合、ユーザはそのどちらか一方を選択することができるようになる。
【００５３】
ＯＫボタン３１２は、実サイズプレビューの表示を終了するものである。ＯＫボタン３１２をユーザが押下することにより、図３の画面３００Ａが表示される。更にこのとき、次の設定が行われる。まず、現在の表示倍率が印刷倍率としてジョブに設定される。次に、仮設定された用紙サイズがジョブに設定される。さらに仮設定したページ集約がジョブに設定される、という設定である。
【００５４】
キャンセルボタン３１３も、ＯＫボタン３１２同様、実サイズプレビューの表示を終了するものである。しかし、キャンセルボタン３１３をユーザが押下したときは、現在の表示倍率を印刷倍率に設定せずに画面３００Ａが表示される。また、仮設定した用紙サイズやページ集約も、ジョブに対して設定されない。
【００５５】
図５は、図１におけるＣＰＵ１１１により実行される実サイズプレビュー表示処理の手順を示すフローチャートである。図５のフローチャートの各ステップは、間接記憶部１１３に記憶されたプログラムが直接記憶部１１２に展開され、ＣＰＵ１１１によって実行される。
【００５６】
まず、ＣＰＵ１１１は、ユーザインターフェース１１４に実サイズプレビューを表示する（ステップＳ５０１）。詳細には、ＣＰＵ１１１は、実サイズプレビューの画像を生成し、さらに表示データを生成してユーザインターフェース１１４に通知する。ユーザインターフェース１１４はこれを表示する。このステップＳ４０１は、画像を記録媒体に形成した場合と同じ大きさでユーザインターフェース１１４に画像を表示する実サイズプレビュー手段の一例である。
【００５７】
次いで、ＣＰＵ１１１は、実サイズプレビューを終了するか否か判別する（ステップＳ５０２）。これは、ユーザにより、ＯＫボタン３１２またはキャンセルボタン３１３が押下されたか否かの判別である。
【００５８】
ステップＳ５０２の判別の結果、実サイズプレビューを終了しないとき（ステップＳ５０２でＮＯ）、最適な用紙サイズが設定されたか否か判別する（ステップＳ５０３）。これは、ユーザにより、用紙サイズ設定ボタン３０８が押下されたか否かの判別である。なお、最適な用紙サイズが存在しなかったときには、ユーザにより、用紙サイズ設定ボタン３０８が押下されることはないので、ステップＳ５０３では否定判別される。
【００５９】
ステップＳ５０３の判別の結果、最適な用紙サイズが設定されたとき（ステップＳ５０３でＹＥＳ）、ＣＰＵ１１１は、その用紙サイズを直接記憶部に一時的に記憶し（ステップＳ５０４）、ステップＳ５０２の処理に戻る。
【００６０】
一方、最適な用紙サイズが設定されていないとき（ステップＳ５０４でＮＯ）、ＣＰＵ１１１は、最適なページ集約が設定されたか否か判別する（ステップＳ５０５）。これは、ユーザにより、ページ集約設定ボタン３１０が押下されたか否かの判別である。なお、最適なページ集約が存在しなかったときには、ユーザにより、ページ集約設定ボタン３１０が押下されることはないので、ステップＳ５０５では否定判別される。
【００６１】
ステップＳ５０５の判別の結果、最適なページ集約が設定されたとき（ステップＳ５０５でＹＥＳ）、ＣＰＵ１１１は、そのページ集約を直接記憶部に一時的に記憶し（ステップＳ５０６）、ステップＳ５０２の処理に戻る。
【００６２】
一方、最適なページ集約が設定されていないとき（ステップＳ５０５でＮＯ）、ＣＰＵ１１１は、表示倍率が変更されたか否か判別する（ステップＳ５０７）。これは、ユーザにより、表示倍率スライダ３０５が操作されたか否かの判別である。このステップＳ５０７は、ユーザインターフェース１１４に表示された画像の表示倍率をユーザによって変更させるための表示倍率変更手段の一例である。
【００６３】
ステップＳ５０７の判別の結果、表示倍率が変更されなかったとき（ステップＳ５０７でＮＯ）、ステップＳ５０２に戻る。
【００６４】
一方、表示倍率が変更されたとき（ステップＳ５０７でＹＥＳ）、ＣＰＵ１１１は、現在の表示倍率に従って実サイズプレビューの表示を更新する（ステップＳ５０８）。ここでは、実サイズプレビューの画像を生成する際に、表示倍率の分変倍する点を除いて、ステップＳ５０１と同様の処理が行われる。
【００６５】
次いで、ＣＰＵ１１１は、現在の表示倍率に対して、最適な用紙サイズやページ集約が存在するか否かを判別する（ステップＳ５０９）。これは判定条件テーブル２００を用いて行われる。すなわち、実サイズプレビューの表示対象である原稿のサイズ（画像のサイズ）が、データ項目２０１の値に合致し、かつデータ項目２０２の印刷倍率の値に対して、±５の値の範囲内に現在の表示倍率が存在するレコードを検索する。レコードが検索されたときは、肯定判別となる。尚、この±５の値は一例であり、別の値であってもよいし、ユーザが任意に変更できるようにしてもよい。
【００６６】
ステップＳ５０９の判別の結果、最適な用紙サイズやページ集約が存在しないとき（ステップＳ５０９でＮＯ）、ステップＳ５０２に戻る。一方、最適な用紙サイズやページ集約が存在したとき（ステップＳ５０９でＹＥＳ）、ＣＰＵ１１１は、検索されたレコードのデータ項目２０３、データ項目２０４の値に応じて、最適用紙サイズ設定表示領域３０７や最適ページ集約設定表示領域３０９を表示させる（ステップＳ５１０）。そして、ステップＳ５０２の処理に戻る。
【００６７】
すなわち、データ項目２０３がブランクでなく、さらにデータ項目２０３が示すサイズの用紙が給紙されているならば、最適用紙サイズ設定表示領域３０７が表示される。また、データ項目２０４がブランクでなければ最適ページ集約設定表示領域３０９が表示される。
【００６８】
上述したステップＳ５０２の判別の結果、実サイズプレビューを終了するとき（ステップＳ５０２でＹＥＳ）、ＣＰＵ１１１は、設定を反映するか否か判別する（ステップＳ１１）。ここでは、ユーザにより押下されたボタンがＯＫボタン３１２であれば、設定を反映すると判別される。ユーザにより押下されたボタンがキャンセルボタン３１３であれば、設定を反映しないと判別される。
【００６９】
ステップＳ５１１の判別の結果、設定を反映すると判別されたとき（ステップＳ５１１でＹＥＳ）、ＣＰＵ１１１は、ジョブ設定を反映し（ステップＳ５１２）、本処理を終了する。このステップＳ５１２では、ＯＫボタンが指示された際の表示倍率を、印刷倍率としてジョブに対して設定される。また、ステップＳ５０４で、最適な用紙サイズを一時的に記憶している場合には、これがジョブに対して設定される。さらに、ステップＳ５０６で、最適なページ集約を一時的に記憶している場合には、これがジョブに対して設定される。
【００７０】
従って、ステップＳ５１２は、ユーザによって変更された表示倍率で表示された画像の大きさとなるように画像を記録媒体に形成する際の形成倍率を変更する形成倍率変更手段の一例である。
【００７１】
また、図５の処理によれば、変更可能サイズ情報において、原稿サイズ、及び変更された表示倍率に対応する記録媒体のサイズが存在する場合に、変更された表示倍率で当該記録媒体に画像を形成することが可能となっている。
【００７２】
さらに、図５の処理によれば、集約可能サイズ情報において、原稿サイズ、及び変更された表示倍率に対応する記録媒体のサイズが存在する場合に、変更された表示倍率で当該記録媒体に画像を集約して形成することが可能となっている。
【００７３】
一方、設定を反映しないと判別されたとき（ステップＳ５１１でＮＯ）、本処理を終了する。本処理が終了すると、画面３００Ａが表示される。
【００７４】
このように、本実施例によれば、実サイズプレビューの表示倍率を印刷倍率に反映する。更に、表示倍率（印刷倍率）の変化に応じて最適な用紙サイズやページ集約を判定し、設定可能に制御する。これにより、実サイズプレビュー・プレビューを表示する画面と、倍率や用紙サイズ、ページ集約の設定のための画面との間を、何度も行き来せずに操作することができるため、利便性が向上する。
【００７５】
また、ユーザによって変更された表示倍率で表示された画像の大きさとなるように画像を記録媒体に形成する際の形成倍率を変更するので、従来技術と比較して、画像を記録媒体に形成するまでに要するユーザの手間を軽減することができる。
【００７６】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７７】
１  画像形成装置
１０  コントローラ部
１２  印刷装置
１１２  直接記憶部
１１３  間接記憶部
１１４  ユーザインターフェース
２００  判定条件テーブル
３０５  表示倍率スライダ
３０７  最適用紙サイズ設定表示領域
３０９  最適ページ集約設定表示領域
【図１】
0005896648.tif 000002
【図２】
0005896648.tif 000003
【図３】
0005896648.tif 000004
【図４】
0005896648.tif 000005
【図５】
0005896648.tif 000006